(57)【特許請求の範囲】
【請求項１】
加圧水型原子炉の原子炉格納容器内の天井クレーンを補強し、この補強された天井クレーンを用いて原子炉容器をオペレーティングフロアまで吊り上げ、その後、前記原子炉格納容器の側壁に設けた開口部から前記原子炉容器を搬出することを特徴とする原子炉容器の取扱方法。
【請求項２】
請求項１において、前記開口部として前記原子炉格納容器の機器搬入口を利用することを特徴とする原子炉容器の取扱方法。
【請求項３】
加圧水型原子炉の原子炉格納容器内の天井クレーンを補強し、この補強された天井クレーンを用いて原子炉容器をオペレーティングフロアまで吊り上げ、前記原子炉格納容器の側壁に設けた開口部から前記原子炉容器を搬出し、
その後、新規の原子炉容器を前記開口部から前記原子炉格納容器内の所定の位置に搬入することを特徴とする原子炉容器の取扱方法。
【発明の詳細な説明】
技術分野
本発明は、加圧水型原子炉（以下、ＰＷＲという）において、原子炉容器の取替作業、廃炉時の原子炉容器の搬出作業などを行う場合における原子炉容器の搬出方法及び搬入方法に関する。
背景技術
原子炉容器は、原子力発電所の最重要機器である。原子力発電所の供用期間は、一般に原子炉容器及び炉内／炉外付帯機器の耐用期間に依存している。また、原子力発電所が供用期間を終了した場合、その原子力発電所を解体し、廃炉にしなければならない。このような環境の中、現在稼動している高経年原子力発電所の供用期間を延長することが重要な課題となってきている。
高経年原子力発電所では、原子炉容器及び炉内構造物を除く機器の補修や取替えが行われており、原子力発電所のリフレッシュ化が講じられている。更に、供用期間の延長のために、原子炉容器及び炉内構造物の補修又は取替えを行う必要が生じてきた。
実際、沸騰水型原子炉（以下、ＢＷＲという）においては、炉内構造物の取替えが実施されている。また、ＰＷＲにおいては、原子炉容器上蓋の交換が実施されている。このような背景から、高経年原子力発電所の予防保全対策として、炉内構造物を含む原子炉容器の取替技術の確立が必要となってきた。この場合、プラント停止期間をできるだけ短縮することが重要となる。
原子炉容器の搬出方法に関する第１の従来例として、特開平８−６２３６８号及び特開平９−１４５８８２号公報に記載された方法がある。しかし、これらの従来例は、ＢＷＲの原子炉圧力容器の搬出に関するものであり、ＰＷＲの原子炉容器の搬出にそのまま適用することはできない。
第２の従来例である特開平１１−８４０５２号公報には、ＰＷＲの炉内構造物をポーラクレーン（天井クレーン）のガーダの隙間から搬出する方法が記載されている。しかし、この従来例は炉内構造物の搬出には適用できるが、原子炉容器の搬出には適用できない。適用できない主な理由は、次の３点である。
（１）原子炉容器は、ポーラクレーンのガーダの隙間を通過できない。
（２）原子炉格納容器（以下、格納容器という）内のポーラクレーンは、原子炉容器及びその放射線遮蔽体を一緒に吊り上げる容量を有していない。
（３）放射線遮蔽体を取り付けた原子炉容器は、格納容器の機器搬入口から搬出できない。
発明の開示
本発明の目的は、加圧水型原子炉の原子炉容器の搬出または搬入を短時間で効率良く実施できる原子炉容器の取扱方法を提供することにある。
本発明は、加圧水型原子炉の原子炉格納容器内の天井クレーンを取り外し、その後、前記原子炉格納容器の上方に設けた開口部から原子炉容器を搬出する。
他の本発明は、加圧水型原子炉の原子炉格納容器内の天井クレーンが設置されている領域において、原子炉容器が通過可能なスペースを形成するように前記天井クレーンを操作し、その後、前記原子炉格納容器の上方に設けた開口部から原子炉容器を搬出する。
他の本発明は、加圧水型原子炉の原子炉格納容器内の天井クレーンを補強し、この補強された天井クレーンを用いて原子炉容器をオペレーティングフロアまで吊り上げ、その後、前記原子炉格納容器の側壁に設けた開口部から前記原子炉容器を搬出する。
他の本発明は、加圧水型原子炉の原子炉格納容器内の天井クレーンが取り外された状態で、新規の原子炉容器を前記原子炉格納容器の上方に設けた開口部から前記原子炉格納容器内の所定の位置に搬入する。
他の本発明は、加圧水型原子炉の原子炉格納容器内の天井クレーンが補強された状態で、新規の原子炉容器を前記原子炉格納容器の側壁に設けた開口部から前記原子炉格納容器内の所定の位置に搬入する。
以上の本発明の方法が適用される原子炉格納容器は、原子炉容器を搬出可能な開口部がその上部壁及び側壁の少なくとも一方に設けられている。
以上の本発明は、ＰＷＲの原子炉容器の取替時における原子炉容器の搬出及び搬入に適用できる。また、ＰＷＲの廃炉時における原子炉容器の搬出にも適用できる。
発明を実施するための最良の形態
（第１実施例）
本発明を加圧水型原子力プラント（以下、ＰＷＲプラントという）における原子炉容器の取替えに適用した第１実施例を説明する。本実施例は、原子炉格納容器（格納容器）内のポーラクレーンを撤去して、格納容器内に収納されている原子炉容器（以下、ＲＶという）及び炉内構造物を一緒に搬出し、新規の原子炉容器及び炉内構造物と取り替える例である。
第２図は、本発明を適用するＰＷＲプラントにおける原子炉遮蔽建屋の概略縦断面図である。第２図に示すように、原子炉遮蔽建屋１は鉄筋コンクリート構造を有しており、その内側に鋼製の格納容器（以下、ＣＶという）３が設置されている。ＣＶ３の下部は、鉄筋コンクリート構造又は鉄骨コンクリート構造の壁や床を有しており、そこに形成された原子炉キャビティ５の底部の中央にＲＶ２が設置されている。
ＣＶ３内の各種作業が行われるオペレーションフロア７が、原子炉キャビティ５の上部に形成されている。各種機器を原子炉遮蔽建屋１外に搬出するための機器搬入口４が、オペレーションフロア７の上側に設置されている。蒸気発生器（以下、ＳＧという）８は遮蔽壁６の内部に配置されている。ＣＶ３のドーム状天井の直下に環状のレール１０が設置されており、その上にポーラクレーン９が架設されている。ポーラクレーン９はガーダ９ａとトロリ９ｂとを有する天井クレーンであり、ＣＶ３内の重量物の移動に使用される。
第３図は、第２図のＲＶ２の一部切欠き斜視図である。第３図に示すように、上蓋２ａは、ＲＶ２の本体にフランジ２ｂを介してボルト２ｃで固定されている。ＲＶ２は、高さ約１０ｍ，直径約４ｍである。ＲＶ２の内部には、後述する炉内構造物５０が設置されている。炉心そう１２がＲＶ２の中央に配置され、炉心そう１２の内側に燃料集合体１３が配置されている。炉心そう１２は、ＲＶ２内に配置された炉心を取り囲む筒状の炉内構造物である。
上部炉心支持板１７が炉心そう１２の上端に着脱可能に配置され、複数の上部炉心支持柱１９によって上部炉心板１６に取り付けられている。上部炉心板１６，上部炉心支持板１７，制御棒クラスタ１８及び上部炉心支持柱１９は、上部炉内構造物２０を構成する。下部炉心支持板１４及び下部炉心板１５が炉心そう１２の下部に設けられている。炉心そう１２，下部炉心支持板１４及び下部炉心板１５は、下部炉内構造物２１を構成する。
炉内構造物５０は上部炉内構造物２０及び下部炉内構造物２１からなり、この構造物２０と２１は別々にＲＶ２の外部に取り出すことができる。ＲＶ２に設けられている入口ノズル２２と出口ノズル２３は、ＣＶ３内に設置されているＳＧ８と配管で接続されている。
第１図は、第１実施例のＲＶの取替方法を示すフローチャートである。初めに、ステップＳ１で原子炉の開放作業が行われる。原子炉の開放作業では、ＲＶ２の上蓋２ａを取り外す。第４図は、原子炉の開放作業中におけるＲＶ２周りの概略縦断面図を示す。１８ａは制御棒駆動機構である。
次に、ステップＳ２で上部炉内構造物２０を取り外す。本作業は、炉水水位を原子炉キャビティ５まで満水状態にして行う。第５図は、上部炉内構造物２０の取外し作業中におけるＲＶ２周りの概略縦断面図を示す。上部炉内構造物２０を構成する上部炉心板１６，上部炉心支持板１７，制御棒クラスタ１８及び上部炉心支持柱１９を一体で取り外す。
次に、ステップＳ３で全燃料を取り出して燃料プールへ移動する。本作業は、炉水水位を原子炉キャビティ５まで満水状態のままで行う。
第６図は、燃料取替装置１３ａを用いた燃料集合体１３の取出し作業中におけるＲＶ２周りの概略縦断面図である。
次に、ステップＳ４で上部炉内構造物２０をＲＶ２内に戻して取り付ける。上部炉内構造物２０を取り替えない場合には、本ステップは省略できる。
次に、ステップＳ５で、ＲＶ２内の除染を行うことにより、ＲＶ２の内壁及び炉内構造物５０に付着した放射性物質を取り除く。除染の方法としては、薬品による化学除染などを用いる。この除染の実施により、ＲＶ２を原子炉遮蔽建屋１外に搬出する際に使用する遮蔽体を簡略化できる。除染を実施しない場合には、本ステップは省略できる。
次に、ステップＳ６で入口ノズル２２及び出口ノズル２３に接続されている配管２４及び２５の切断を行う。この場合、配管切断作業における作業者の放射線被曝量を低減させるために、原子炉キャビティ５まで満水状態のままで、炉内から入口ノズル２２及び出口ノズル２３に封水プラグ２２ａ及び２３ａを取り付け、炉水水位をＲＶ２上部のフランジ２ｂまで下げる。その後、炉内からの放射線を遮断するために、遮蔽能力のある遮蔽蓋２６をフランジ２ｂにボルト２６ａで取り付ける。次に、配管切断の作業スペースを確保し、ノズル上部のシール材等の構造物及びノズル周辺の保温材を撤去する。これにより、ＲＶ２の搬出時にノズルとの干渉を防止できる。
第７図は、入口ノズル２２及び出口ノズル２３に接続されている配管２４及び２５の切断後の状態を示すＲＶ２周りの概略縦断面図である。炉内の放射性物質がＲＶ２の外部に流出することを防止するために、配管切断後のノズルにＲＶ２の外側から閉止板２２ｂ及び２３ｂを取り付ける。
次に、ステップＳ７でモルタル等の放射線の遮蔽材を炉内に充填する。遮蔽材の充填は、遮蔽蓋２６に予め設けた穴からホース等を挿入して行う。遮蔽材を炉底部に充填することにより、後述するＲＶ２の遮蔽体２８の底部を省略することもできる。遮蔽材の充填後、遮蔽蓋２６に設けた穴を塞ぐ。炉底部からの放射線量が輸送規準値以下の場合には、本ステップを省略することもできる。
次に、ステップＳ８でＲＶ２の底部に接続されている炉内計測用のケーブル３７を撤去する。ステップＳ９では、原子炉遮蔽建屋１の外部にＲＶ２を搬出（搬入）するための大型クレーン３０を設定する。次に、ステップＳ１０で、原子炉遮蔽建屋１及び格納容器３の天井（上部壁）にＲＶ２を搬出（搬入）可能な仮開口部３１を設定する。仮開口部３１の上側には、雨に対して養生ができる開閉自在なシャッター３２を設置する。第８図は、大型クレーン３０及び仮開口部３１の設定後における原子炉遮蔽建屋１の概略縦断面図である。
次に、ステップＳ１１でポーラクレーン９を撤去し、ステップＳ１２で遮蔽体２８を搬入する。遮蔽体２８の搬入では、初めに補強材２７を原子炉キャビティ５底部のＲＶ２周りに設定する。補強材２７は、遮蔽体２８の重量を原子炉キャビティ５底部に分散するためのものである。その後、シャッター３２を開き、大型クレーン３０を用いて仮開口部３１から遮蔽体２８をＣＶ３内に搬入し、補強材２７の上に仮置きする。このために、仮開口部３１は遮蔽体２８を搬入（搬出）可能な大きさに設定しておく。遮蔽体２８は円筒状に形成されており、その上端に円板状の遮蔽体上蓋２８ａが設けられている。遮蔽体２８は、ＲＶ２からの放射線を遮蔽するためのものである。第９図は、遮蔽体２８を原子炉キャビティ５に仮置きして、遮蔽蓋２６に吊具３０ａを取り付けた状態を示すＲＶ２周りの概略縦断面図である。
次に、ステップＳ１３でＲＶ２を吊上げて遮蔽体２８と合体させる。ＲＶ２吊上用治具であるストロングバック（吊具）３０ａが、８〜１０本のボルト２６ａにより遮蔽蓋２６に取り付けられる。吊具３０ａは、大型クレーン３０によって吊り下げられている。遮蔽体上蓋２８ａは、吊具３０ａが通過できるスリット状の開口部を有すると共に、その上側に遮蔽体２８を吊るためのフック２８ｂを備えている。大型クレーン３０で吊具３０ａを上昇させることにより、ＲＶ２は吊り上げられる。ＲＶ２を吊り上げて遮蔽蓋２６を遮蔽体上蓋２８ａに当接させることにより、ＲＶ２に遮蔽体２８を取り付ける。
次に、遮蔽体上蓋２８ａの開口部を養生シート２８ｃで覆い、養生シート２８ｃの端部をシールテープで密封して固定する。同様に、遮蔽体２８の下端部を養生シート２８ｄで覆い、シールテープで密封して固定する。養生シート２８ｃ及び２８ｄは、塩化ビニールシートなどを用いることができる。第１０図は、ＲＶ２を吊り上げて遮蔽体２８と合体した状態を示すＲＶ２周りの概略縦断面図である。
このようにして、炉内構造物５０をＲＶ２と一緒に（一体で）吊り上げるだけで、ＲＶ２の周囲に遮蔽体２８を短時間で容易に取り付けることができる。また、養生シート２８ｃ及び２８ｄで遮蔽体２８の開口部を密封することにより、ＲＶ２の表面に付着した放射性ダストの飛散を防止できる。
次に、ＲＶ２に遮蔽体２８を取り付けた状態で、遮蔽体及び養生シートの表面を除染して、格納容器の外部環境に影響しない程度まで表面線量率が下がったことを汚染検査により確認する。第１１図は、大型クレーン３０によって、遮蔽体２８とＲＶ２を合体した大型ブロック５１を吊り上げて仮開口部３１から搬出する直前の状態を示すＣＶ３内の概略縦断面図である。
第１１図に示すように、遮蔽体２８はＲＶ２の上部から底部まで全体を覆っている。ＲＶ２の炉底部は、その上側の炉心部に比べて放射線量が低く且つ放射線の遮蔽材が充填されているので、ほとんどの場合放射線の遮蔽体を取り付ける必要はない。
ＲＶ２の炉底部にこの遮蔽体を取り付ける必要が生じた場合には、ステップＳ１３で炉底部にも遮蔽体を取り付ける。この方法を第１２（ａ）図及び第１２（ｂ）図を用いて説明する。第１２（ａ）図は底部遮蔽体２９の取付け前の状態を示し、第１２（ｂ）図は底部遮蔽体２９の取付け後の状態を示す。
第１２（ａ）図に示すように、大型クレーンで大型ブロック５１をオペレーションフロア７の上側まで吊り上げ、原子炉キャビティ５の上部にレール２９ａを設定し、レール２９ａ上に底部遮蔽体２９を載せた台車２９ｂを設置する。次に、第１２（ｂ）図に示すように、底部遮蔽体２９を載せた台車２９ｂを大型ブロック５１の真下に移動させ、大型ブロック５１を底部遮蔽体２９に接する位置まで吊り降ろして、ボルト等で大型ブロック５１と底部遮蔽体２９とを接合する。
このような方法で、ＲＶ２を原子炉遮蔽建屋１から搬出する際に、遮蔽体２８の表面線量率を基準値（制限値）以下に低減することができる。
次に、ステップＳ１４でＲＶ２を搬出する。ＲＶ２は、遮蔽体２８及び炉内構造物５０と一体化された大型ブロック５１として吊り上げられる。この大型ブロック５１を原子炉遮蔽建屋１の仮開口部３１から外部に搬出する。大型ブロック５１を原子炉遮蔽建屋１の外部に搬出後、シャッター３２を閉じる。第１３図は、大型クレーン３０で大型ブロック５１を原子炉遮蔽建屋１の仮開口部３１から搬出している状態を示す図である。
次に、ステップＳ１５で原子炉遮蔽建屋１から搬出した大型ブロック５１を保管庫４０に搬入する。この場合、大型クレーン３０で大型ブロック５１を吊った状態で、大型クレーン３０の先端部３０ｂを原子炉遮蔽建屋１の仮開口部３１の真上から保管庫４０の真上まで移動させ、大型ブロック５１を下降させて保管庫４０に搬入する。
第１４図は、ステップＳ１５で、大型ブロック５１を保管庫４０に搬入する直前の状態を示す図である。保管庫４０は、原子炉遮蔽建屋１の近傍の地下に設けられ、大型ブロック５１を縦置き状態で保管できる構造を有する。こうして、大型クレーン３０を用いて、大型ブロック５１を原子炉遮蔽建屋１から搬出したままの状態で保管庫４０へ搬入できる。大型ブロック５１の搬入後、保管庫４０の蓋をして、保管庫４０を密封状態とする。
ステップＳ１５において、大型ブロックをトレーラに積載して保管庫まで輸送した後に、保管庫に搬入してもよい。保管庫が原子炉遮蔽建屋から離れている場合には、この方法が有効である。また、保管庫は原子炉遮蔽建屋と棟続きの建屋内に設けてもよい。保管庫は大型ブロックを横置き状態で保管できる地上式のものでもよい。
ここで、大型ブロックを横置き状態でトレーラ（台車）に積載する方法を説明する。大型クレーン３０を用いて、大型ブロック５１を吊った状態で原子炉遮蔽建屋１の近傍に停めたトレーラ３４上の反転装置まで移動させ、反転装置で大型ブロック５１を横置き状態にしてトレーラ３４上に積載する。
第１５（ａ）図は大型ブロック５１をトレーラ３４上で反転している状態を示す図、第１５（ｂ）図は大型ブロックを反転させるためにトレーラ上に設けられた反転装置の一例を示す図である。この場合、予め遮蔽体２８に反転軸２８ｇを取り付けておく。
大型クレーンワイヤ３０ｃで、縦吊り状態の大型ブロック５１を反転軸受３５にゆっくりと吊り降ろしながら、大型ブロック５１を反転させたい方向にトレーラ３４をゆっくりと移動させる。これにより、遮蔽体２８が反転軸２８ｇを中心として回転し、大型ブロック５１は縦吊り状態から徐々に傾いて反転していく。この際、反転軸２８ｇに加わる荷重が例えば大型ブロックの全重量の約半分となるように、トレーラ３４の移動距離及び移動速度と、大型ブロック５１を吊り降ろす距離及び速度とを互いに調整する。
このようにして、反転軸２８ｇ及び反転軸受３５に過大な荷重やモーメントが加わらないようにして、徐々に大型ブロック５１をトレーラ３４の受台３６上に横置きにしていく。大型ブロック５１をトレーラの受台３６に横置きに載置後、大型ブロック５１をワイヤー等で固定する。このようにして、大型ブロックの反転作業が終了する。
以上の手順により、ＲＶ２を遮蔽体２８及び炉内構造物５０と一体化した大型ブロック５１として搬出する作業が終了する。
次に、ステップＳ１６で、大型クレーン３０により新規の原子炉容器（新ＲＶ）２を吊り上げて、仮開口部３１から格納容器３内の所定の位置（原子炉キャビティ５の底部）に搬入する。この時、下部炉内構造物２１を新ＲＶ２内に入れた状態で一緒に搬入する。新ＲＶ２と下部炉内構造物２１は、別々に搬入してもよい。
次に、ステップＳ１７で撤去したポーラクレーン９を仮開口部３１から格納容器３内に搬入して復旧する。次に、ステップＳ１８で仮開口部３１を閉塞し、ステップＳ１９で大型クレーン３０を解体する。一方、ステップＳ２０で新ＲＶ２に接続する出口配管及び入口配管を出口ノズル及び入口ノズルに接続して復旧し、ステップＳ２１で新ＲＶ２底部のケーブルを取付けて復旧する。
次に、ステップＳ２２で燃料を装荷し、ステップＳ２３で上部炉内構造物２０を取り付けて復旧する。次に、ステップＳ２４で原子炉を併入する。以上の手順によって、一連の原子炉容器の取替作業を完了する。
ここで、ＲＶ２に取り付けられる遮蔽体２８の他の実施例を第１６（ａ）図及び第１６（ｂ）図を用いて説明する。本遮蔽体２８は、第９図に示した遮蔽体において、遮蔽体上蓋２８ａに代えてＲＶ２の上蓋に当接するストッパービーム２８ｅを設けている。その他の構造は第９図と同じであるので、ここでは説明を省略する。
同図はＲＶ２を吊り上げて本実施例の遮蔽体２８を取り付けた状態を示す図で、第１６（ａ）図は遮蔽体２８の取付部の詳細を示す一部切欠き側面図、第１６（ｂ）図は第１６（ａ）図の上面図である。第１６（ｂ）図に示すように、４個のストッパービーム２８ｅの両端部が、固定ボルト２８ｆにより遮蔽体２８の上面に固定されている。ストッパービーム２８ｅは、吊具３０ａと干渉しない位置に、周方向にほぼ均等に配置されている。遮蔽体２８を吊るためのフック２８ｈが各ストッパービーム２８ｅの中央部に設けてある。
本遮蔽体２８の場合、ストッパービーム２８ｅの中央部が遮蔽蓋２６に当接するため、ＲＶ２を吊り上げるだけで遮蔽体２８を容易に取り付けることができる。また、ＲＶ２の炉内に遮蔽材を充填をすることにより、遮蔽体２８の高さを出口ノズル（又は入口ノズル）付近まで短くできる場合もある。この場合、遮蔽体２８の高さを短くして、ストッパービーム２８ｅが出口ノズル（又は入口ノズル）に当接するようにしてもよい。この場合も、ＲＶ２を吊り上げるだけで、遮蔽体２８を短時間で容易に取り付けることができる。
本実施例によれば、ポーラクレーンが取り外された状態で、原子炉容器の搬出及び搬入を短時間で効率良く実施できる。これに伴い、原子炉容器の取替作業の工期を短縮でき、原子力発電プラントの停止期間を短縮できる。
また、原子炉容器の搬出時に、原子炉容器の遮蔽体の表面線量率を制限値以下に低減できる。更に、原子炉容器の遮蔽体の取付け時に作業者が原子炉容器に近づくことが少ないので、原子炉容器の搬出作業における作業者の放射線被曝量を低減できる。
尚、上記実施例において、ステップＳ６終了後にＲＶ２内の炉水の水抜き作業を行わなくても良い。この場合、炉水が炉内構造物５０からの放射線を遮蔽する効果がある。このため、ＲＶ２の表面線量率は更に低減され、ステップＳ７のモルタル（遮蔽材）の充填を省略することも可能となる。また、モルタルに代えて、鉛や鋼鉄の粉末（又は細粒）等を炉内に封入しても良い。
上記実施例ではステップＳ１１でポーラクレーンを撤去したが、これに限定されない。例えば、原子炉格納容器内のポーラクレーンが設置されている領域において、原子炉容器及びその遮蔽体が通過可能なスペースを形成するようにポーラクレーンを操作してもよい。この場合、ステップＳ１７でポーラクレーンを元の状態に復旧する。
（実施例２）
次に、本発明をＰＷＲプラントにおける原子炉容器の取替えに適用した第２実施例を説明する。本実施例は、ポーラクレーンを補強し、補強したポーラクレーンで原子炉容器（ＲＶ）を含む大型ブロックを吊り上げて、格納容器（ＣＶ）及び原子炉遮蔽建屋の側壁に設けた開口部から搬出し、新規の原子炉容器と取り替える例である。
第１７図は、第２実施例のＲＶの取替方法を示すフローチャートである。第１７図のステップＴ１〜Ｔ８、Ｔ２１〜Ｔ２５は、第１図のステップＳ１〜Ｓ８、Ｓ２０〜Ｓ２４と同じ手順である。本実施例が第１実施例と異なる点は、第１７図のステップＴ９〜Ｔ２０である。その他の手順は第１実施例と同じであるので、ここでは説明を省略する。以下、本実施例のステップＴ９〜Ｔ２０を説明する。
スッテプＴ９では、原子炉遮蔽建屋１及びＣＶ３の側壁に、ＲＶ２を含む大型ブロック５１を横倒しにした状態で搬出可能な大きさの仮開口部４ａを設ける。第１８図は、ＣＶ３のオペレーティングフロア７よりも上側の側壁に、大型ブロック５１（図示せず）を搬出するための仮開口部４ａを設けた状態を示す。
ＣＶ３には大型機器を搬出／搬入するための機器搬入口４が設けられているが、前述したような遮蔽体２８及びＲＶ２を含む大型ブロック５１を搬出できる大きさには作られていない。このため、ＣＶ３と原子炉建屋１を貫通する仮開口部４ａを新たに設ける。仮開口部４ａには開閉自在なシャッター４ｂを設置する。仮開口部４ａは機器搬入口４とは別の位置に設けても良いが、既設されている機器搬入口４を更に広げて設置すれば、工期が短縮できる。
次に、ステップＴ１０でポーラクレーン９を補強する。既設のポーラクレーンの容量は、約１００トンである。一方、炉内構造物５０、ＲＶ２及び遮蔽体２８を一体とした大型ブロック５１の重量は、４００〜５００トンにも及ぶ。従って、このような重量の大型ブロックを吊り上げ可能なように、ポーラクレーン９を補強する。第１９図は、ＣＶ３内のオペレーティングフロア７から補強部材３３を立てて、ポーラクレーン９を補強している状態を示す。補強部材３３に滑車等を取り付けて、オペレーテイングフロア７上をポーラクレーン９と連動して自由に動けるようにしても良い。
次に、ステップＴ１１で吊上装置を補強して、補助トロリ９ｃを取り付ける。即ち、４００〜５００トンの重量を有する大型ブロックを吊り上げることができる容量を持つチェーンジャッキ（又は油圧ジャッキ等）からなる補助トロリ９ｃを、ガーダ９ａ上に取り付ける。
次に、ステップＴ１２で前述した遮蔽体２８を仮開口部４ａから搬入し、第１実施例のステップＳ１２と同様に、原子炉キャビティ５の底部のＲＶ２の上（又は補強材２７の上）に仮置きする。遮蔽体２８には、第１５（ａ）図及び第１５（ｂ）図と同様のＲＶ２を反転するための反転軸２８ｇを取り付けておく。
次に、ステップＴ１３でＲＶ２と遮蔽体２８を合体させる。ＲＶ２は、補強されたポーラクレーン９によって吊り上げられる。ＲＶ２と遮蔽体２８は、第１実施例のステップＳ１３と同様に、ＲＶ２を吊り上げて遮蔽体上蓋２８ａにＲＶ２の遮蔽蓋２６を当接させることにより、短時間で容易に合体される。
次に、ステップＴ１４で、ＲＶ２の反転を行うために、反転軸受３５を載せた台車（トレーラ）３４ａをＣＶ３内に搬入し、オペレーティンングフロア７上に設置する。
次に、ステップＴ１５でＲＶ２に遮蔽体２８を取り付けた大型ブロック５１を反転させる。大型ブロック５１の反転は、第１５（ａ）図及び第１５（ｂ）図と同様な方法で行う。第２０図は、ＣＶ３内において台車３４ａ上で大型ブロック５１を反転させている状態を示す図である。
次に、ステップＴ１６で、大型ブロック５１を台車３４ａに横置きに載置した状態で仮開口部４ａから原子炉遮蔽建屋１外に搬出する。ステップＴ１７では、大型ブロック５１を台車３４ａに横置きにしたまま、例えば原子力発電所構内に設置されたＲＶ２の保管庫４０へ輸送して搬入する。
次に、ステップＴ１８で、台車３４ａを用いて、新規の原子炉容器（新ＲＶ）２を仮開口部４ａからＣＶ３内に搬入する。新ＲＶ２をＣＶ３内に搬入後、ステップＴ１５と逆の手順で、補強されたポーラクレーン９により新ＲＶ２を反転させる。更に、補強されたポーラクレーン９により新ＲＶ２を吊り上げ、原子炉キャビティ５内に設置する。
次に、ステップＴ１９でポーラクレーン９の補強部材３３と補助トロリ９ｃを撤去し、ステップＴ２０で仮開口部４ａを閉塞する。以下、ステップＴ２１〜Ｔ２５は、第１図のステップＳ２０〜Ｓ２４と同様の方法で行う。以上により、炉内構造物５０、ＲＶ２及び遮蔽体２８を一体にした大型ブロック５１の搬出、及び新ＲＶ２の搬入作業が完了する。
本実施例によれば、補強されたポーラクレーンを用いることにより、原子炉容器の搬出及び搬入を短時間で効率良く実施できる。これに伴い、原子炉容器の取替作業の工期を短縮でき、原子力発電プラントの停止期間を短縮できる。更に、第１実施例と同様に、原子炉容器の搬出時に、原子炉容器の遮蔽体の表面線量率を制限値以下に低減できると共に、作業者の放射線被曝量を低減できる。
【図面の簡単な説明】
第１図は、本発明の第１実施例である原子炉容器の取替方法を示すフローチャートである。
第２図は、本発明を適用するＰＷＲプラントにおける原子炉遮蔽建屋の概略縦断面図である。
第３図は、第２図の原子炉容器の一部切欠き斜視図である。
第４図は、原子炉の開放作業中における原子炉容器周りの概略縦断面図を示す。
第５図は、上部炉内構造物２０の取外し作業中における原子炉容器周りの概略縦断面図を示す。
第６図は、燃料集合体の取出し作業中における原子炉容器周りの概略縦断面図である。
第７図は、入口ノズル及び出口ノズルに接続されている配管の切断後の状態を示す原子炉容器周りの概略縦断面図である。
第８図は、大型クレーン及び仮開口部の設定後における原子炉遮蔽建屋の概略縦断面図である。
第９図は、遮蔽体を原子炉キャビティに仮置きした後における原子炉容器周りの概略縦断面図である。
第１０図は、原子炉容器と遮蔽体を合体した状態を示す原子炉容器周りの概略縦断面図である。
第１１図は、原子炉容器と遮蔽体を合体した大型ブロックを仮開口部から搬出する直前の状態を示す格納容器内の概略縦断面図である。
第１２（ａ）図は、底部遮蔽体の取付け前の状態を示す図である。
第１２（ｂ）図は、底部遮蔽体の取付け後の状態を示す図である。
第１３図は、大型ブロックを原子炉遮蔽建屋の仮開口部から搬出している状態を示す図である。
第１４図は、大型ブロックを保管庫に搬入する直前の状態を示す図である。
第１５（ａ）図は、大型ブロックをトレーラ上で反転している状態を示す図である。
第１５（ｂ）図は、トレーラ上に設けられた反転装置の一例を示す図である。
第１６（ａ）図は、他の実施例である遮蔽体の取付部の詳細を示す一部切欠き側面図である。
第１６（ｂ）図は、第１６（ａ）図の上面図である。
第１７図は、本発明の第２実施例である原子炉容器の取替方法を示すフローチャートである。
第１８図は、格納容器の側壁に仮開口部を設けた状態を示す図である。
第１９図は、ポーラクレーンを補強している状態を示す図である。
第２０図は、格納容器内において台車上で大型ブロックを反転させている状態を示す図である。
【図１】
0004177987.tif 000002
【図２】
0004177987.tif 000003
【図３】
0004177987.tif 000004
【図４】
0004177987.tif 000005
【図５】
0004177987.tif 000006
【図６】
0004177987.tif 000007
【図７】
0004177987.tif 000008
【図８】
0004177987.tif 000009
【図９】
0004177987.tif 000010
【図１０】
0004177987.tif 000011
【図１１】
0004177987.tif 000012
【図１２（ａ）】
0004177987.tif 000013
【図１２（ｂ）】
0004177987.tif 000014
【図１３】
0004177987.tif 000015
【図１４】
0004177987.tif 000016
【図１５（ａ）】
0004177987.tif 000017
【図１５（ｂ）】
0004177987.tif 000018
【図１６（ａ）】
0004177987.tif 000019
【図１６（ｂ）】
0004177987.tif 000020
【図１７】
0004177987.tif 000021
【図１８】
0004177987.tif 000022
【図１９】
0004177987.tif 000023
【図２０】
0004177987.tif 000024